(57)【特許請求の範囲】
【請求項１】
受光面を有する板状の光発電素子に設置され、小反射板で反射した光を大反射板で再び集光して効率よく集光する、モニタ付きディスプレイ装置で使用される光集光器であって、
複数の反射板で構成される反射板群が、ステンレス製で矩形状の、１の前記大反射板と、それぞれの反射面のサイズが前記大反射板の反射面より小さい複数の前記小反射板とで構成され、前記大反射板及び前記小反射板が、前記光発電素子上に配され、
複数の前記小反射板が前記大反射板の一方の反射板側に位置し、前記大反射板が複数の前記小反射板の間に位置しておらず、
前記大反射板と複数の前記小反射板のそれぞれの片面に、前記受光面と平行に配向される一対の固定具は、前記大反射板及び複数の前記小反射板のそれぞれを、矩形状の枠状に形成された支持部内で、該支持部が前記光発電素子を囲んで配され、回転可能に支持される部材であり、各固定具が，回転軸aとなる枢軸が形成されている部分と、前記反射板を把持する部分とが結合し、全体として略Ｌ字の形状の部材であり、
前記固定具の前記反射板を把持する部分は、前記回転軸ａとなる枢軸が形成された部分に結合し、前記反射板を把持する部分には、第１の貫通孔が形成され、ボルトが、前記反射板を把持する部分の第１の貫通孔と前記反射板に形成された第２の貫通孔とを挿通され、ナットと螺合することにより、該ナットは、前記固定具と反対側の反射面に配され、螺合により、前記反射板と、該反射板を把持する部分とが固定され、
前記大反射板と前記複数の小反射板は、それぞれの両面に、受光面と平行に配向される、一対の第１辺と、該第１辺に対峙する一対の第２辺とで形成される矩形状の反射面を有し、
前記支持部は、前記反射板群を支持する部材であり、４つの板部材が組み合わさって矩形状の枠状に形成されており、対向する一対の板部材に受光面と平行に延びる複数の貫通孔が形成され、複数の前記貫通孔に、前記回転軸ａとなる枢軸が形成された部分が挿通された、
ことを特徴とする光集光器。
【請求項２】
前記大反射板と前記複数の小反射板の前記第１辺に略平行であり、前記支持部は、前記大反射板と前記複数の小反射板の反射面に、互いに平行な前記回転軸ａを中心に所望角回転するように前記反射板群の反射板を支持する、請求項１に記載の光集光器。
【請求項３】
請求項１または請求項２に記載の前記光集光器を使用した、モニタ付きディスプレイ装置において、
前記光発電素子の出力が、２次電池と複数の昇圧回路とで構成された電気回路を介し、光入力を変換して電気入力される液晶モニタを具備し、受光面を有する板状の前記光発電素子に前記液晶モニタが接続されるディスプレイケースに備え、
前記ディスプレイケースでは、前記ディスプレイケースの内側上部に設置された照明源の光が該ディスプレイケース内に照射されるように、陳列棚を具備し、
前記光集光器は、前記受光面が前記照明源に向くように、かつ、前記大反射板が前記複数の小反射板より取出口側に位置するように、前記ディスプレイケース内に配置された、モニタ付きディスプレイ装置において、
複数の小反射板は、前記大反射板の一方の反射面側に位置させ、
前記反射板群を回転可能に支持する支持部は、前記大反射板と前記小反射板を手動調整しながら回転させて、前記光入力による前記光集光器の照度を所望値に調整し、
前記照明源の照明光を、前記ディスプレイケースの奥から前記取出口側に向う方向に効率よく照射させて、複数の小反射板で反射させ、前記光集光器は、複数の前記小反射板で反射した光を前記大反射板の前記反射面で再び集光させて、モニタ画像を所望照度で再生させ、
前記モニタで再生される陳列品画像全体を上下左右方向で明確鮮明に照出させて、最良状態で静止画および動画をモニタ表示して、顧客の関心を引き付け最適なモニタ聴視を提供する、
ことを特徴とするモニタ付きディスプレイ装置。
【発明の詳細な説明】
【技術分野】
【０００１】
本発明は、光集光器、モニタユニット及びモニタ付きディスプレイケースに関する。
【背景技術】
【０００２】
商品を陳列する棚を有するディスプレイケースには、様々なものがあり、例えば、商品が化粧品の場合において、商品を上からも下からも強く照明する照明機器が設けられ、優れた照明効果により顧客の目を強く引き付けることのできる商品陳列台を提供する技術が開示されている（例えば、特許文献１参照）。
【０００３】
また、店頭等に設置されて、動画、静止画等を表示し、又は、音声を再生して、商品広告を行う等の再生動作に使用されるモニタに関する技術が開示されている（例えば、特許文献２参照）。
【０００４】
モニタをディスプレイケースに設置し、商品広告をモニタで、静止画を切り替えながら又は動画で放映することにより、より高い宣伝効果を発揮することができる。
【先行技術文献】
【特許文献】
【０００５】
【特許文献１】特開２００１−２９９５２２号公報
【特許文献２】特開２００４−２９７２２０号公報
【発明の概要】
【発明が解決しようとする課題】
【０００６】
しかしながら、モニタを設置することを考慮していないディスプレイケースには、モニタに電力を供給するコンセントがないので、モニタの設置位置に制限が生じる。
【０００７】
他方、ディスプレイケースの照明機器が発する光を光発電素子（太陽電池）に当てて発電した電力をモニタの電源に用いようとしても、十分な発電量が得られないことが多い。
【０００８】
そこで、本発明の課題は、効率よく集光することができる光集光器、これを備えたモニタユニット及びモニタ付きディスプレイケースを提供することにある。
【課題を解決するための手段】
【０００９】
発明者は、鋭意研究を行った結果、以下の発明に至った。
受光面を有する板状の光発電素子に設置され、小反射板で反射した光を大反射板で再び集光して効率よく集光する、モニタ付きディスプレイ装置で使用される光集光器であって、
複数の反射板で構成される反射板群が、ステンレス製で矩形状の、１の前記大反射板と、それぞれの反射面のサイズが前記大反射板の反射面より小さい複数の前記小反射板とで構成され、前記大反射板及び前記小反射板が、前記光発電素子上に配され、
複数の前記小反射板が前記大反射板の一方の反射板側に位置し、前記大反射板が複数の前記小反射板の間に位置しておらず、
前記大反射板と複数の前記小反射板のそれぞれの片面に、前記受光面と平行に配向される一対の固定具は、前記大反射板及び複数の前記小反射板のそれぞれを、矩形状の枠状に形成された支持部内で、該支持部が前記光発電素子を囲んで配され、回転可能に支持される部材であり、各固定具が，回転軸aとなる枢軸が形成されている部分と、前記反射板を把持する部分とが結合し、全体として略Ｌ字の形状の部材であり、
前記固定具の前記反射板を把持する部分は、前記回転軸ａとなる枢軸が形成された部分に結合し、前記反射板を把持する部分には、第１の貫通孔が形成され、ボルトが、前記反射板を把持する部分の第１の貫通孔と前記反射板に形成された第２の貫通孔とを挿通され、ナットと螺合することにより、該ナットは、前記固定具と反対側の反射面に配され、螺合により、前記反射板と、該反射板を把持する部分とが固定され、
前記大反射板と前記複数の小反射板は、それぞれの両面に、受光面と平行に配向される、一対の第１辺と、該第１辺に対峙する一対の第２辺とで形成される矩形状の反射面を有し、
前記支持部は、前記反射板群を支持する部材であり、４つの板部材が組み合わさって矩形状の枠状に形成されており、対向する一対の板部材にｘ方向に延びる複数の前記貫通孔が形成された、ことを特徴とする。
【００１０】
本発明に係る光集光器において、
前記大反射板と前記複数の小反射板の前記第１辺に略平行であり、前記支持部は、前記大反射板と前記複数の小反射板の反射面に、互いに平行な前記回転軸ａを中心に所望角回転するように前記反射板群の反射板を支持する、ことを特徴とする。
【００１１】
請求項１または請求項２に記載の前記光集光器を使用した、モニタ付きディスプレイ装置において、
前記光発電素子の出力が、２次電池と複数の昇圧回路とを構成された電気回路を介し、光入力を変換して電気入力される液晶モニタを具備し、受光面を有する板状の前記光発電素子に前記液晶モニタが接続されるディスプレイケースに備え、
前記ディスプレイケースでは、前記ディスプレイケースの内側上部に設置された照明源の光が該ディスプレイケース内に照射されるように、陳列棚を具備し、
前記光集光器は、前記受光面が前記照明源に向くように、かつ、前記大反射板が前記複数の小反射板より取出口側に位置するように、前記ディスプレイケース内に配置された、モニタ付きディスプレイ装置において、
複数の小反射板は、前記大反射板の一方の反射面側に位置させ、
前記反射板群を回転可能に支持する支持部は、前記大反射板と前記小反射板を、手動調整しながら回転させて、前記光入力を所望輝度に調整し、
前記照明源の照明光を、前記ディスプレイケースの奥から前記取出口側に向う方向に効率よく照射させて、複数の小反射板で反射させ、前記光集光器は、複数の前記小反射板で反射した光を前記大反射板の前記反射面で再び集光させて、モニタ画像を所望照度で再生させ、
前記モニタで再生される陳列品像全体を上下左右方向で明確鮮明に照出させて、最良状態で静止画および動画をモニタ表示して、顧客の関心を引き付け、最良のモニタ聴視を提供する、ことを特徴とする。
【発明の効果】
【００１６】
本発明によれば、複数の小反射板は、大反射板の一方の反射面側に位置しているので、光集光器は、複数の小反射板で反射した光を大反射板で再び集光することができ、効率よく集光することができる光集光器、これを備えたモニタユニット及びモニタ付きディスプレイケースを提供することができる。
【図面の簡単な説明】
【００１７】
【図１】本発明に係る光集光器の一部を省略した斜視図である。
【図２】図１に示した光集光器の側面図である。
【図３】図１に示した光集光器を用いたモニタユニットの概念回路図である。
【図４】図１に示した光集光器を用いたモニタ付きディスプレイケースの一部を省略した側面図である。
【発明を実施するための形態】
【００１８】
以下、図面を参照して本発明を実施するための形態について詳細に説明する。
図１は、本発明に係る光集光器１０の一部を省略した斜視図である。図２は、図１に示した光集光器１０の側面図である。図３は、図１に示した光集光器１０を用いたモニタユニット１の概念回路図である。図４は、図１に示した光集光器１０を用いたモニタ付きディスプレイケースの一部を省略した側面図である。
【００１９】
（光集光器）
図１及び図２に示すように、光集光器１０は、受光面５１を有する板状の光発電素子５０に設置される。光集光器１０は、反射板群２０と支持部４０とを含む。
【００２０】
（光発電素子）
光発電素子５０は、矩形の受光面５１を有する。光発電素子５０は、例えば、一般的な太陽発電シートであり、受光面５１に光が当たると、光量に応じて発電する。
【００２１】
受光面５１は、一方の辺がｘ方向に伸び、他方の辺がｙ方向に伸びるように配置され、受光面５１の法線はｚ方向に向いている。よって、受光の向きがｚ方向に近いほど効率よく発電することができる。
【００２２】
（支持部）
支持部４０は、反射板群２０を支持する部材であり、４つの板部材４１が組み合わさって矩形状の枠状に形成されている。
【００２３】
対向する一対の板部材４１のそれぞれには、後述する枢軸３１が回転可能に挿入される複数（この例では５つ）の貫通孔が形成されている。一対の板部材４１のそれぞれの複数の貫通孔は、いずれもｘ方向に伸びる貫通孔である。
【００２４】
（反射板群）
反射板群２０は、複数（この例では５つ）の反射板で構成され、複数の反射板は、１つの大反射板２１と複数（この例では４つ）の小反射板２２で構成されている。
【００２５】
（大反射板、小反射板）
大反射板２１は、その両面に、それぞれ、矩形板状の反射面２１ａ及び２１ｂを有する。反射面２１ａ及び２１ｂのそれぞれは、一対の第１辺ｍと一対の第２辺ｎとで形成される。第２辺ｎの長さは、大反射板２１の近くに配置された小反射板２２からの反射光を効率よく受光面５１に集光させるために、長い方がよく、例えば、第１辺ｍと同じ長さであることが好ましい。
【００２６】
各小反射板２２は、その両面に、それぞれ、矩形板状の反射面２２ａ及び２２ｂを有する。反射面２２ａ及び２２ｂのそれぞれは第１辺ｑと第２辺ｐとで形成される。
【００２７】
大反射板２１及び複数の小反射板２２のそれぞれは、例えば、ステンレス製の板で形成されていることが好ましい。
【００２８】
大反射板２１及び複数の小反射板２２のそれぞれには、後述する固定具３２が取り付けられるように、一対の第２辺ｎ及び第２辺ｐの近傍に、一対の貫通孔が形成されている。つまり、大反射板２１の一対の第２辺ｎの近傍に、それぞれ、一対の貫通孔が形成され、また、各小反射板２２の一対の第２辺ｐの近傍に、それぞれ、一対の貫通孔が形成されている。
【００２９】
第１辺ｑの長さと第１辺ｍの長さとは、互いに同じであることが好ましい。第２辺ｎの長さは、第２辺ｐの長さの１．５から２．５倍であることが好ましい。
【００３０】
（固定具）
一対の固定具３２は、大反射板２１及び複数の小反射板２２のそれぞれを、支持部４０に回転可能に支持させる部材である。
【００３１】
各固定具３２は、例えば、回転軸ａとなる枢軸３１が形成されている部分と、反射板を把持する部分とが結合し、全体として略Ｌ字の形状の部材である。
【００３２】
反射板を把持する部分には、貫通孔が形成されており、ボルトが、反射板を把持する部分の貫通孔と反射板に形成された貫通孔とを挿通し、ナット３３と螺合することにより、反射板と、反射板を把持する部分とが固定される。
【００３３】
大反射板２１における一対の固定具３２の固定された位置は、それぞれ、大反射板２１の一方の第１辺ｍ（受光面５１）側の一対の第２辺ｎの近傍である。よって、大反射板２１は、大反射板２１の受光面５１側の近傍を回転軸ａとし、回転軸ａの周りを大きく回転することができる。
【００３４】
反射板に固定された一対の固定具３２の枢軸３１は、互いに反する方向（外側）に伸び、一対の板部材４１に形成された貫通孔に回転可能に挿入されている。一対の固定具３２の枢軸３１の回転軸ａは互いに同一いずれもｘ方向に伸びている。
【００３５】
各小反射板２２における一対の固定具３２の固定された位置は、それぞれ、各小反射板２２の一方の第１辺ｑ（受光面５１）側の一対の第２辺ｐの近傍である。よって、各小反射板２２は、各小反射板２２の受光面５１側の近傍を回転軸ａとし、回転軸ａの周りを大きく回転することができる。
【００３６】
すなわち、支持部４０は、複数の反射板がそれぞれ互いに平行な複数の回転軸ａ（ｘ方向に伸びる軸）の周りを回るように、複数の反射板を支持している。換言すると、複数の回転軸ａは、それぞれ、大反射板２１の第１辺ｍ及び複数の小反射板２２の第１辺ｑと略平行である。これにより、複数の反射板を個別に回転軸ａの周りを回転させることができるので、最適な回転位置に反射板を回転移動させることができる。
【００３７】
複数の反射板は、複数の反射板が所定間隔を空けて受光面５１に平行となる方向（ｙ方向）に整列するように、支持部４０によって光発電素子５０の受光面５１側に支持されている。
複数の小反射板２２は、大反射板２１の一方の反射面２１ｂ側に位置している。
大反射板２１は、受光面５１に直交する垂直方向（ｚ方向）より、複数の小反射板２２側（ｙ方向）に傾いていることが好ましい。
【００３８】
複数の小反射板２２は、いずれも、大反射板２１と略平行になるように設置することが好ましい。
【００３９】
（モニタユニット）
図３及び図４を参照して、モニタユニット１の説明をする。
モニタユニット１は、光集光器１０と、光集光器１０が設置され、受光面５１を有する板状の光発電素子５０と、光発電素子５０の電源で作動するモニタ７０とを備える。モニタユニット１は、さらに、電気回路６０を備える。
【００４０】
モニタ７０は、一般的な液晶モニタであり、静止画像又は動画を表示する。モニタ７０は、音を再生できるように、スピーカーを内蔵していることが好ましい。
【００４１】
図３に示すように、電気回路６０は、昇圧回路６１と２次電池６２と昇圧回路６３とを含む。
光発電素子５０によって発電された電気は、昇圧回路６１、２次電池６２及び昇圧回路６３を介してモニタ７０に供給される。
【００４２】
光発電素子５０には、光集光器１０が設置されているので、光発電素子５０は、光集光器１０が効率よく集光した光により、高い電圧の電気を発電することができる。
【００４３】
（モニタ付きディスプレイケース）
図４に示すように、モニタ付きディスプレイケース２００は、モニタユニット１と、商品の取出口を有するディスプレイケース１１０と、ディスプレイケース１１０の内側上部に設置された照明源１００と、照明源１００の光が照らされるようにディスプレイケース１１０内に配置された陳列棚１２０と、を備える。
【００４４】
光集光器１０は、受光面５１が照明源１００に向くように、かつ、大反射板２１が複数の小反射板２２より取出口側に位置するように、ディスプレイケース１１０内に配置される。
【００４５】
モニタ７０は、例えば、購入者にモニタ画面が見えるように、陳列棚１２０に取り付けられる。
【００４６】
複数の小反射板２２は、大反射板２１の一方の反射面２１ｂ側に位置しているので、光集光器１０は、複数の小反射板２２で反射した光を大反射板２１の反射面２１ｂで再び集光することができる。
【００４７】
また、照明源１００は、ディスプレイケース１１０内をあらゆる方向に向けて照明光を照射する。このため、ディスプレイケース１１０の奥から取出口（購入者）側に向けての方向に多くの照明光が照射する。他方、複数の小反射板２２の取出口側に大反射板２１が配置されているので、ディスプレイケース１１０の奥から取出口（購入者）側に向けての照射を効率よく、複数の小反射板２２に反射する。このようにして、光集光器１０は、上述のように、効率よく集光することができる。
【００４８】
このため、光発電素子５０は、多くの電気を発電することができ、モニタ７０は、光発電素子５０が発電した電気のみで作動することができるので、モニタ７０のためのコンセントをディスプレイケース１１０に設ける必要はない。
【符号の説明】
【００４９】
ａ  回転軸
ｍ  第１辺
ｎ  第２辺
ｑ  第１辺
ｐ  第２辺
１  モニタユニット
１０  光集光器
２０  反射板群
２１  大反射板
２１ａ  反射面
２１ｂ  反射面
２２  小反射板
２２ａ  反射面
２２ｂ  反射面
３１  枢軸
３２  固定具
４０  支持部
４１  板部材
５０  光発電素子
５１  受光面
６０  電気回路
６１  昇圧回路
６２  ２次電池
６３  昇圧回路
７０  モニタ
１００  照明源
１１０  ディスプレイケース
１２０  陳列棚
２００  モニタ付きディスプレイケース
【図１】
0006388454.tif 000002
【図２】
0006388454.tif 000003
【図３】
0006388454.tif 000004
【図４】
0006388454.tif 000005